【事件の表示】
　平成１１年特許願第１２８４８１号「光磁気記録再生装置」拒絶査定不服審判事件〔平成１２年１１月２４日出願公開、特開２０００−３２２８１５〕について、次のとおり審決する。
【結　論】
　本件審判の請求は、成り立たない。
【理　由】
１．手続の経緯・本願発明
　本件審判の請求に係る特許出願（以下「本願」という。）は、平成１１年５月１０日に出願されたものであって、平成１５年３月２７日付けで拒絶査定がなされたところ、平成１５年４月２８日付けで拒絶査定不服の審判請求がされた。
　そして、当審から平成１８年１０月２４日付けで拒絶理由を通知したところ、平成１８年１２月２１日付けで手続補正書が提出されたものである。
　本願請求項１に係る発明は、平成１８年１２月２１日付け手続補正書によって補正された特許請求の範囲の請求項１に記載された次のとおりのものである。
　「【請求項１】　記録媒体を装置本体の挿入口から内部に設けられた可動ホルダに挿入すると、その挿入を検知してローディングを開始し、記録媒体を可動ホルダ内に引き込むとともに、可動ホルダを光ピックアップに対向する再生位置まで移動させて再生可能とし、録音時にはさらに磁気ヘッドを前記光ピックアップと対向するように前記記録媒体に接触する録音位置まで降下させて録音可能とするといった一連の動作を１個のモータの正回転駆動及び逆回転駆動によって行うため、これら一連の動作が機構的に連動するように構成された光磁気記録再生装置において、
　前記記録媒体が前記可動ホルダに挿入されたことを検知する挿入位置検知手段と、前記記録媒体を保持した可動ホルダが前記記録媒体の再生位置にきたことを検知する再生位置検知手段と、再生位置にある前記記録媒体に前記磁気ヘッドが接触したことを検知する録音位置検知手段と、これら位置検知手段からの検知信号に基づいて前記一連の機構動作を制御する機構動作制御手段とを備え、
　前記記録媒体の装置本体内への挿入方向を一方向とし、装置本体内からの排出方向を他方向とするとき、前記各位置検知手段が前記一方向の検知を正しく行うリミットスイッチで構成されており、
　前記機構動作制御手段は、前記磁気ヘッドを前記録音位置から上昇させることによって前記記録媒体を保持した可動ホルダを前記再生位置に移動させるとき、前記可動ホルダを再生位置を通過してさらに他方向に所定距離Ｐ２だけ移動させて停止してから、一方向に再生位置まで移動させることにより、この可動ホルダの移動を前記再生位置検知手段で検知することで記録媒体が再生位置にきたことを検知するように構成されており、かつ、前記挿入位置検知手段により検知される記録媒体挿入位置から前記所定距離Ｐ２だけ移動させて停止した停止位置までの距離をＰ１とし、前記機構動作制御手段から各機構動作部に対して停止信号が送られてから、各機構動作部が実際に停止するまでに前記記録媒体が移動する距離をΔｐ０とすると、Ｐ１＞Δｐ０、Ｐ２＞Δｐ０となるように、前記所定距離Ｐ２及び距離Ｐ１が決定されていることを特徴とする光磁気記録再生装置。」（以下「本願発明」という。）
　
　
２．刊行物及びその記載
　当審からの拒絶の理由で引用された刊行物である特開平９−１３９００３号公報（以下「刊行物」という。）は、記録媒体ローディング機構であって、図面とともに以下の記載がある。
　(1)「【００１６】この例は、本発明に係る記録媒体ローディング機構を、記録媒体としてカートリッジに収納された記録ディスクを用いて情報信号の記録及び再生を行うディスクプレーヤ装置のローディング機構として構成した例である。
　【００１７】このディスクプレーヤ装置において用いる記録ディスクは、いわゆる光ディスクや光磁気ディスクの如き情報信号を記録する記録ディスクであって、薄い筐体状のカートリッジに回転可能に収納されてディスクカートリッジを構成しているものである。」
　(2）「【０１２８】上述のように構成された本発明に係る記録媒体ローディング機構を有するディスクプレーヤ装置においては、図６に示すように、初期状態であるときに、図７及び図１３中に矢印Ｇで示すように、上記ディスクカートリッジ１２０，１２１が、前方側より、上記カートリッジホルダ５４に挿入操作される。このとき、上記前蓋３６は、上記ディスクカートリッジ１２０，１２１の前端部により押圧されて開蓋される。
　【０１２９】そして、上記ディスクカートリッジ１２０，１２１が、図８に示すように、上記カートリッジホルダ５４に対して、前端部を上記位置決め爪９１，９３に当接させる所定位置まで挿入されると、上記シャッタ部材１０６，１１７が開蓋操作される。また、このとき、上記カートリッジ挿入検出レバー５６は、上記ディスクカートリッジ１２０，１２１により、図８中矢印Ｆで示すように、上記突片部を上記カートリッジホルダ５４の他側縁部より外方側に突出させないように該カートリッジホルダ５４上に後退させる状態に回動される。
　【０１３０】この状態で、さらに、上記ディスクカートリッジ１２０，１２１を、図８中矢印Ｇで示すように、後方側に押圧すると、図９に示すように、上記係合部材７８が上記制御板５５に対して回動され、この制御板５５は、図９中矢印Ｍで示すように、後方側に僅かな距離だけ移動される。すると、図１８に示すように、上記ローディング開始スイッチ５０に対する押圧操作が解除され、このローディング開始スイッチ５０を経た検出出力が“Ｈ”レベルより“Ｌ”レベルに変わる。
　【０１３１】上記ローディング開始スイッチ５０を経た検出出力が“Ｈ”レベルより“Ｌ”レベルに変わると、上記制御回路は、図１８に示すように、上記ローディングモータ１６を＋方向（図６中において上記第３の伝達ギヤ２８が反時計方向に回転操作されることとなる方向）に駆動させる。
　【０１３２】上記ローディングモータ１６が＋方向に駆動されることにより、上記制御板５５は、このローディングモータ１６の駆動力により、図１０、図１４及び図１５中に矢印Ｎで示すように、後方側に向けて移動操作される。
　【０１３３】そして、上記制御板５５が上記プレイ位置に到ると、図１１に示すように、上記プレイ位置検出スイッチ８６が押圧操作され、図１８に示すように、このプレイ位置検出スイッチ８６を経た検出出力が“Ｌ”レベルより“Ｈ”レベルに変わる。
　【０１３４】上記プレイ位置検出スイッチ８６を経た検出出力が“Ｌ”レベルより“Ｈ”レベルに変わると、上記制御回路は、図１８に示すように、上記ローディングモータ１６を停止させる（図１８中「０」で示す状態）。」
　(3)「【０１３５】このとき、上記カートリッジホルダ５４は、図１６中に矢印Ｄで示すように、上記シャーシ１側に降下操作されており、保持しているディスクカートリッジ１２０，１２１を該シャーシ１上のディスクカートリッジ装着部に装着させる。上記カートリッジホルダ５４が上記各規制ピン６５，６５を上記各端縁部１４，１５に沿わせつつ上記シャーシ１側に降下操作されるとき、上記引っ張りコイルバネ７３は、弾性変位されて伸ばされる。
　【０１３６】上記ディスクカートリッジ１２０，１２１の記録ディスクは、上記ディスクテーブル２のマグネットに上記チャッキングプレート１０２を吸引され、このディスクテーブル２上に位置決めされて保持される。
　【０１３７】この状態で、上記スピンドルモータによるディスク記録ディスクの回転操作、及び、上記光学ピックアップ装置４による該記録ディスクよりの情報信号の読み取り操作が行え、再生動作が実行できる。」
　(4)「【０１３８】そして、上記制御回路に、記録動作を実行するべき指示が入力されると、図１８に示すように、この制御回路は、上記ローディングモータ１６を＋方向に駆動させる。すると、上記制御板５５は、図１２及び図１７中に矢印Ｎで示すように、後方側に移動操作され、図１２及び図１７に示すように、上記レック位置に移動される。
　【０１３９】すなわち、上記制御板５５が上記レック位置に到ると、図１２に示すように、上記レック位置検出スイッチ５２が押圧操作され、図１８に示すように、このレック位置検出スイッチ５２を経た検出出力が“Ｌ”レベルより“Ｈ”レベルに変わる。
　【０１４０】上記レック位置検出スイッチ５２を経た検出出力が“Ｌ”レベルより“Ｈ”レベルに変わると、上記制御回路は、図１８に示すように、上記ローディングモータ１６を停止させる。
　【０１４１】上記制御板５５が上記レック位置に到ると、図１７において矢印Ｓで示すように、上記ヘッド昇降操作板９の前縁側が降下することにより、上記磁気ヘッド装置７は、上記対物レンズ５側に降下操作され、上記記録ディスクに略々摺接する状態となされる。
　【０１４２】この状態で、上記スピンドルモータによるディスク記録ディスクの回転操作が行えるとともに、上記光学ピックアップ装置４及び上記磁気ヘッド装置７による該記録ディスクに対する情報信号の書き込み操作が行え、記録動作が実行できる。」
　(5)「【０１４３】そして、上記制御回路に、再生動作に戻るべき指示が入力されると、図１８に示すように、この制御回路は、上記ローディングモータ１６を−方向（図６中において上記第３の伝達ギヤ２８が時計方向に回転操作されることとなる方向）に駆動させる。すると、上記制御板５５は、図１２及び図１７中に矢印Ｐで示すように、前方側に移動操作され、図１１及び図１６に示すように、上記プレイ位置に移動される。
　【０１４４】このとき、上記制御板５５は、図１８に示すように、上記プレイ位置検出スイッチ８６を経た検出出力が“Ｈ”レベルより“Ｌ”レベルに変わるまで上記ローディングモータ１６が−方向に駆動されることによって、一旦は、上記プレイ位置よりもやや前方側まで移動操作される。次に、上記制御板５５は、上記ローディングモータ１６が＋方向に駆動されることによって、再び後方側に向けて移動操作され、上記プレイ位置検出スイッチ８６を経た検出出力が“Ｌ”レベルより“Ｈ”レベルに変わったときに該ローディングモータ１６が停止されることによって、上記プレイ位置にて停止される。
　【０１４５】このようにして、上記制御板５５は、上記初期位置より上記プレイ位置まで移動操作されたときと同様の状態で、該プレイ位置にて停止される。
　【０１４６】この状態で、上記スピンドルモータによるディスク記録ディスクの回転操作、及び、上記光学ピックアップ装置４による該記録ディスクよりの情報信号の読み取り操作が行え、再生動作が実行できる。
　【０１４７】そして、上記制御回路に、イジェクト動作を行うべき指示が入力されると、図１８に示すように、この制御回路は、上記ローディングモータ１６を−方向に駆動させる。すると、上記制御板５５は、図１１及び図１６中に矢印Ｐで示すように、前方側に移動操作される。」
　
　
３．対比・判断
　(1)本願発明と刊行物に記載された発明とを対比する
　 i．刊行物における、上記摘記事項(1)(2)によれば、刊行物に記載された発明は「記録媒体ローディング機構」で「記録媒体としてカートリッジに収納された記録ディスクを用いて情報信号の記録及び再生を行うディスクプレーヤ装置のローディング機構」であるとしている。また、ローディング機構とこれを検出する検出スイッチとの関係については「図１８に示すように、ローディング開始スイッチ５０に対する押圧操作が解除され、ローディング開始スイッチ５０を経た検出出力が“Ｈ”レベルより“Ｌ”レベルに変わる。」「ローディング開始スイッチ５０を経た検出出力が“Ｈ”レベルより“Ｌ”レベルに変わると、制御回路は、図１８に示すように、ローディングモータ１６を＋方向（図６中において上記第３の伝達ギヤ２８が反時計方向に回転操作されることとなる方向）に駆動される」「ローディングモータ１６が＋方向に駆動されることにより、制御板５５は、このローディングモータ１６の駆動力により、図１０、図１４及び図１５中に矢印Ｎで示すように、後方側に向けて移動操作される」「制御板５５がプレイ位置に到ると、図１１に示すように、プレイ位置検出スイッチ８６が押圧操作され、図１８に示すように、このプレイ位置検出スイッチ８６を経た検出出力が“Ｌ”レベルより“Ｈ”レベルに変わる。」等の記載があり、プレイ位置とは再生位置であるから、上記各事項は本願発明の「記録媒体を装置本体の挿入口から内部に設けられた可動ホルダに挿入すると、その挿入を検知してローディングを開始し、記録媒体を可動ホルダ内に引き込むとともに、可動ホルダを光ピックアップに対向する再生位置まで移動させて再生可能」に相当する。
　 ii．刊行物における上記摘記事項(4)によれば、刊行物に記載された発明には、「制御板５５が上記レック位置に到ると、図１７において矢印Ｓで示すように、上記ヘッド昇降操作板９の前縁側が降下することにより、上記磁気ヘッド装置７は、上記対物レンズ５側に降下操作され、上記記録ディスクに略々摺接する状態となされる。」とある。ここで、ローディングモータ１６を＋方向に駆動させることでレック位置に移動し、さらに上記はレック位置に至った後のヘッドを記録ディスクに摺接していく構成であり、これは本願発明の「録音時にはさらに磁気ヘッドを前記光ピックアップと対向するように前記記録媒体に接触する録音位置まで降下させて録音可能とする」に相当する。
　 iii．刊行物における上記摘記事項(2)の【０１３０】〜【０１３２】【０１３４】、(4)の【０１３８】【０１４０】によれば、刊行物に記載された発明には、ローディング⇔再生位置⇔レック位置、に至る一連の動作は１個のローディングモータでモータの＋方向、及び、−方向の駆動により行うものであるから、これは本願発明の「一連の動作を１個のモータの正回転駆動及び逆回転駆動によって行うため、これら一連の動作が機構的に連動するように構成」に相当する。
　 iv．刊行物における記録媒体については、上記摘記事項(1)の【００１７】によれば「光ディスクや光磁気ディスク」としている。そして、記録媒体としてカートリッジに収納された記録ディスクを用いて情報信号の記録及び再生を行うディスクプレーヤ装置のローディング機構として構成（上記(1)の【００１６】）というものであるから、刊行物に記載のディスクプレーヤ装置は、本願発明の「光磁気記録再生装置」に相当する。
　 v．刊行物における、ディスクカートリッジ１２０，１２１の記録ディスクを装着する「カートリッジホルダ５４」，「ローディング開始スイッチ５０を経た検出出力」「プレイ位置検出スイッチ８６を経た検出出力」及び「レック位置検出スイッチ５２を経た検出出力」であるが、これは本願発明の記録媒体が挿入される「可動ホルダ」，「挿入位置検知手段」「再生位置検知手段」及び「録音位置検知手段」に相当する。
　 vi．刊行物の上記摘記事項(2)の【０１３１】には「ローディングモータ１６を＋方向（図６中において上記第３の伝達ギヤ２８が反時計方向に回転操作されることとなる方向）に駆動」と、上記摘記事項(5)の【０１４３】には「ローディングモータ１６を−方向（図６中において上記第３の伝達ギヤ２８が時計方向に回転操作されることとなる方向）に駆動」との記載があり、これは本願発明の「記録媒体の装置本体内への挿入方向を一方向とし、装置本体内からの排出方向を他方向とする」に相当する。
　 vii．刊行物において、レック位置からプレイ位置に戻ることについて、ヘッド装置７は記録ディスクから離間方向に移動するとともに、刊行物の上記摘記事項(5)の【０１４４】には「上記プレイ位置検出スイッチ８６を経た検出出力が“Ｈ”レベルより“Ｌ”レベルに変わるまで上記ローディングモータ１６が−方向に駆動されることによって、一旦は、上記プレイ位置よりもやや前方側まで移動操作される。次に、上記制御板５５は、上記ローディングモータ１６が＋方向に駆動されることによって、再び後方側に向けて移動操作され、上記プレイ位置検出スイッチ８６を経た検出出力が“Ｌ”レベルより“Ｈ”レベルに変わったときに該ローディングモータ１６が停止されることによって、上記プレイ位置にて停止される。」との記載がある。これによると、刊行物のものは、レック位置からプレイ位置に移動する際、プレイ位置を通り過ぎ、さらにやや前方位置まで移動させていきその後再びプレイ位置に進ませていくものであるから、刊行物に記載された発明は、本願発明の「機構動作制御手段は、前記磁気ヘッドを前記録音位置から前記記録媒体を保持した可動ホルダを前記再生位置に移動させるとき、前記可動ホルダを再生位置を通過してさらに他方向に所定距離だけ移動させて停止してから、一方向に再生位置まで移動させることにより、この可動ホルダの移動を前記再生位置検知手段で検知することで記録媒体が再生位置にきたことを検知」に相当するものである。
　
　結局のところ、本願発明と刊行物に記載された発明との［一致点］及び［相違点］は以下のとおりである。
　［一致点］　                               
　「記録媒体を装置本体の挿入口から内部に設けられた可動ホルダに挿入すると、その挿入を検知してローディングを開始し、記録媒体を可動ホルダ内に引き込むとともに、可動ホルダを光ピックアップに対向する再生位置まで移動させて再生可能とし、録音時にはさらに磁気ヘッドを前記光ピックアップと対向するように前記記録媒体に接触する録音位置まで降下させて録音可能とするといった一連の動作を１個のモータの正回転駆動及び逆回転駆動によって行うため、これら一連の動作が機構的に連動するように構成された光磁気記録再生装置において、
　前記記録媒体が前記可動ホルダに挿入されたことを検知する挿入位置検知手段と、前記記録媒体を保持した可動ホルダが前記記録媒体の再生位置にきたことを検知する再生位置検知手段と、録音位置検知手段と、これら位置検知手段からの検知信号に基づいて前記一連の機構動作を制御する機構動作制御手段とを備え、
　前記記録媒体の装置本体内への挿入方向を一方向とし、装置本体内からの排出方向を他方向とするとき、前記各位置検知手段が前記一方向の検知を正しく行うスイッチで構成されており、
　前記機構動作制御手段は、前記磁気ヘッドを前記録位置から前記記録媒体を保持した可動ホルダを前記再生位置に移動させるとき、前記可動ホルダを再生位置を通過してさらに他方向に所定距離だけ移動させて停止してから、一方向に再生位置まで移動させることにより、この可動ホルダの移動を前記再生位置検知手段で検知することで記録媒体が再生位置にきたことを検知する光磁気記録再生装置。」
　
　［相違点］
　 a．磁気ヘッドによる録音可能としていく構成で、その録音位置検出手段の検知についてであるが、本願発明のものは「再生位置にある前記記録媒体に前記磁気ヘッドが接触したことを検知する（録音位置検知手段）」というものであるが、刊行物に記載された発明のものは、レック位置は検出するものの、磁気ヘッドの接触を検出するまでの構成に言及していない点。
　 b．位置検知手段が、本願発明は「リミットスイッチ」であるが、刊行物に記載された発明のものは検出スイッチというだけで具体的構成について特段の記載がない点。 
　 c．録音位置から再度再生位置の検出であるが、本願発明のものは「前記挿入位置検知手段により検知される記録媒体挿入位置から前記所定距離Ｐ２だけ移動させて停止した停止位置までの距離をＰ１とし、前記機構動作制御手段から各機構動作部に対して停止信号が送られてから、各機構動作部が実際に停止するまでに前記記録媒体が移動する距離をΔｐ０とすると、Ｐ１＞Δｐ０、Ｐ２＞Δｐ０となるように、前記所定距離Ｐ２及び距離Ｐ１が決定」というものであるが、刊行物に記載された発明のものはこの点明確に記載されていない点。　
　
　(2)相違点に対する判断
　 −上記a．について−
　刊行物に記載された発明のものは、録音時に再生位置から記録位置に位置を変更して、記録動作であるレック位置を検出するものである。再生位置と記録位置を同じとして、さらに磁気ヘッドを記録媒体に接触させて検出のものではない。
　しかしながら、記録位置と再生位置を同じ位置にして磁気ヘッドの駆動で録音状態と構成していくことは光磁気記録再生装置として周知であり、磁気ヘッドの記録媒体への接触を検出するとした場合であっも、記録位置を検出していることにおいて刊行物に記載された発明は本願発明と同じであって、さらに本願発明のものが磁気ヘッドの記録媒体への接触をもっての構成に特段の作用効果をもつというものでない以上、「再生位置にある前記記録媒体に前記磁気ヘッドが接触したことを検知する録音位置検知手段と、」との、上記相違点a．の構成は当業者が適宜容易に想到できるものである。　
　
　 −上記b．について−
　位置検出スイッチとしてリミットスイッチは周知のものである。また、リミットスイッチを含め、機械的なスイッチの一般的な特徴として、ＯＮとＯＦＦとではヒステリシス現象 (Hysteresis)があり、時間的誤差で最初の状態に完全に戻ることがないこと、要するに、本願当初明細書の段落【００３３】の問題点は、刊行物においても上記摘記事項(5)の【０１４４】〜【０１４６】の記載から当然認識されている課題に過ぎない。
　よって、刊行物に記載された発明のものにおいて位置検出スイッチとしてリミットスイッチの採用は適宜容易に想到できるものであるから、上記相違点b．の構成は特段のものではない。
　
　 −上記c．について−　
　上記相違点c．の規定は、補正の根拠とした本願明細書段落【００３６】によれば「このように決定することにより、再生位置を通過して排出側に所定距離Ｐ２だけ可動ホルダ３（ディスク１）を移動させても、ディスク１が装置本体２の挿入口２ａから一瞬飛び出してまた引き込まれるといった動作とならないようにすることができる。つまり、ユーザに誤動作と思わせるような紛らわしい動作を防止することができる。」というものである。　刊行物に記載された発明のものも、カートリッジホルダを戻すとしてもローディング開始位置まで戻すことは、通常ありえないし、それはプレイ位置の再度確認できる位置であればよいことは常識的である。さらに、本願発明で記載の「各機構動作部が実際に停止するまでに記録媒体が移動する距離」以上であることの必要性は、要するに、各機構動作部の慣性ないし時間的な余裕分を考慮すること（動的なものを静止させるのに少なからず時間的余裕が必要であること）、は自明で、刊行物に記載された発明のものが本願発明と同じ作用効果を達成していく観点から、上記相違点c．の「前記挿入位置検知手段により検知される記録媒体挿入位置から前記所定距離Ｐ２だけ移動させて停止した停止位置までの距離をＰ１とし、前記機構動作制御手段から各機構動作部に対して停止信号が送られてから、各機構動作部が実際に停止するまでに前記記録媒体が移動する距離をΔｐ０とすると、Ｐ１＞Δｐ０、Ｐ２＞Δｐ０となるように、前記所定距離Ｐ２及び距離Ｐ１が決定」とすることは当業者が適宜容易に想到しえるものと認める。
　そして、上記各相違点についての判断を総合しても、特異な技術的事項を本願発明の記載事項から把握することができないもので、本願発明の奏する効果は刊行物に記載された発明及び周知事項から当業者が十分に予想可能なものであって、格別のものではない。
　
　よって、本願発明は、刊行物に記載された発明のものに周知事項を勘案して、当業者が容易に想到できるものである。
　
　
　４．むすび
　以上のとおりであって、本願請求項１に記載された発明は、上記刊行物及び周知事項に基づいて当業者が容易に発明をすることができたものであるから、特許法第２９条第２項の規定により特許を受けることができない。
　
　よって、結論のとおり審決する。